(57)【要約】【課題】安価に製造可能な土嚢袋用の土詰め補助具を提供する。【解決手段】筒体１１が、上部開口１１ａおよび下部開口１１ｂを有している。筒体１１は、上部開口１１ａの周縁から外側に向かって伸びるフランジ１１ｃを有している。ハンドル１２が、上部開口１１ａの上方に起立可能でかつ上部開口１１ａの周縁側に倒伏可能に筒体１１のフランジ１１ｃに取り付けられている。ハンドル付きのバケツの底部に下部開口１１ｂを設けて製造可能である。筒体１１の下部開口１１ｂを土嚢袋１の開口１ａに挿入して使用される。【選択図】図１
0003173010.tif 000002
【実用新案登録請求の範囲】
【請求項１】
土嚢袋の開口に挿入して使用される土嚢袋用の土詰め補助具であって、
上部開口および下部開口を有する筒体と、
前記上部開口の上方に起立可能でかつ前記上部開口の周縁側に倒伏可能に前記筒体に取り付けられたハンドルとを、
有することを特徴とする土嚢袋用の土詰め補助具。
【考案の詳細な説明】
【技術分野】
【０００１】
本考案は、土嚢袋用の土詰め補助具に関する。
【背景技術】
【０００２】
従来、土嚢袋に土を入れるときには、作業者の一人が土嚢袋の開口を持って広げ、他の作業者がその開口からスコップなどで土を入れている。しかし、一人で作業をする場合には、土嚢袋の開口を押さえることができないため、土嚢袋の内部に土を入れにくく、作業に手間がかかっていた。そこで、この問題を解決するために、土嚢袋の開口に筒状の補助具を取り付けて開口を広げ、一人であっても土を入れやすくする補助具が提案されている（例えば、特許文献１または２参照）。
【先行技術文献】
【特許文献】
【０００３】
【特許文献１】実用新案登録第３０７９２０８号公報
【特許文献２】特開２００４−１４３７８７号公報
【考案の概要】
【考案が解決しようとする課題】
【０００４】
しかしながら、特許文献１または２に記載のような補助具は、土嚢袋専用に特別に製造する必要があり、製造コストが嵩むという課題があった。
【０００５】
本考案は、このような課題に着目してなされたもので、安価に製造可能な土嚢袋用の土詰め補助具を提供することを目的とする。
【課題を解決するための手段】
【０００６】
上記目的を達成するために、本考案に係る土嚢袋用の土詰め補助具は、土嚢袋の開口に挿入して使用される土嚢袋用の土詰め補助具であって、上部開口および下部開口を有する筒体と、前記上部開口の上方に起立可能でかつ前記上部開口の周縁側に倒伏可能に前記筒体に取り付けられたハンドルとを、有することを特徴とする。
【０００７】
本考案に係る土嚢袋用の土詰め補助具は、土嚢袋の開口に下部開口を挿入することにより、土嚢袋の開口を広げた状態で維持することができる。ハンドルは、土を入れるのに邪魔にならないよう上部開口の周縁側に倒伏させておく。この状態で上部開口にスコップなどで土を入れることにより、下部開口から土嚢袋の内部に土が入る。土を入れ終わったならば、ハンドルを上部開口の上方に起立させ、ハンドルを持って持ち上げることにより、土嚢袋から容易に抜き取ることができる。抜き取った後、土嚢袋の開口を閉じる。このように、本考案に係る土嚢袋用の土詰め補助具によれば、一人であっても、土嚢袋の内部に容易に土を入れることができる。
【０００８】
本考案に係る土嚢袋用の土詰め補助具は、筒体を土嚢袋の開口に挿入するだけで土詰め準備が容易である。本考案に係る土嚢袋用の土詰め補助具は、市販のバケツ等を利用して容易に製造することができる。例えば、市販のハンドル付きのバケツの底部に下部開口を設けることにより、容易かつ安価に製造可能である。バケツを利用した場合には、上部開口の方が下部開口よりも広いホッパー状になっているため、土を入れやすい。また、上部開口の周縁が頑丈に形成されているため、壊れにくい。
【０００９】
本考案に係る土嚢袋用の土詰め補助具で、筒体は、下部開口が土嚢袋の開口よりも小さく、上部開口が土嚢袋の開口よりも大きいことが好ましい。この場合、下部開口が土嚢袋の内部に、上部開口が土嚢袋の上方に配置されるよう、筒体を土嚢袋の開口にセットすることができる。また、セットするときも土詰め作業中も、筒体が土嚢袋の内部に入り込まず、土詰め準備および作業がしやすい。特に、上部開口は、土嚢袋の開口よりも若干大きい程度が好ましい。この場合、筒体を動かないよう土嚢袋にぴったりとセットすることができ、作業性を高めることができる。
【００１０】
筒体の底部が土嚢袋の底に達しない場合には、筒体を土嚢袋の開口に挿入し、筒体の下部開口より下方の土嚢袋の下部をたるませた状態で土を入れる。上部開口まで土を入れたならば、筒体と土嚢袋の開口周縁とを同時に持って持ち上げる。これにより、土を土嚢袋の底の方に移動させることができる。その土の上に筒体を置いて、再び土を入れ作業を行う。これを繰り返すことにより、土嚢袋の開口付近まで土を入れることができる。
【考案の効果】
【００１１】
本考案によれば、安価に製造可能な土嚢袋用の土詰め補助具を提供することができる。
【図面の簡単な説明】
【００１２】
【図１】本考案の実施の形態の土嚢袋用の土詰め補助具を示す（ａ）斜視図、（ｂ）使用状態の斜視図である。
【考案を実施するための形態】
【００１３】
以下、図面に基づき本考案の実施の形態について説明する。
図１は、本考案の実施の形態の土嚢袋用の土詰め補助具を示している。
図１（ａ）に示すように、土嚢袋用の土詰め補助具１０は、筒体１１とハンドル１２とを有している。土嚢袋用の土詰め補助具１０は、市販のハンドル付きのバケツの底部に、下部開口を設けることにより形成されている。
【００１４】
筒体１１は、上部開口１１ａおよび下部開口１１ｂを有する円筒状を成し、下部開口１１ｂから上部開口１１ａに向かって徐々に径が大きくなるよう形成されている。筒体１１は、上部開口１１ａの周縁から外側に向かって伸びるフランジ１１ｃを有している。フランジ１１ｃは、外縁部１１ｄが下方に折り曲げられたカギ型の断面を有している。筒体１１は、下部開口１１ｂが土嚢袋１の開口１ａよりも小さく、フランジ１１ｃの外径が土嚢袋１の開口１ａの径よりもやや大きく形成されている。
【００１５】
ハンドル１２は、ほぼ半円状を成し、両端がそれぞれ筒体１１のフランジ１１ｃの外縁部１１ｄに回転可能に取り付けられている。ハンドル１２は、両端が筒体１１の上部開口１１ａの中心に対して点対称の位置に取り付けられ、上部開口１１ａの中心に向かう軸を中心として回転可能である。これにより、ハンドル１２は、両端の取付位置を中心に回転させることにより、上部開口１１ａの上方に起立して架け渡される位置と、上部開口１１ａの周縁側に倒伏して筒体１１の外側面に接する位置との間で回転可能になっている。
【００１６】
次に、作用について説明する。
図１（ｂ）に示すように、土嚢袋用の土詰め補助具１０は、下部開口１１ｂが土嚢袋１の内部に、上部開口１１ａが土嚢袋１の上方に配置されるよう、土嚢袋１の開口１ａに下部開口１１ｂを挿入して使用される。土嚢袋１の開口１ａに下部開口１１ｂを挿入することにより、土嚢袋１の開口１ａを広げた状態で維持することができる。ハンドル１２は、土を入れるのに邪魔にならないよう上部開口１１ａの周縁側に倒伏させておく。この状態で上部開口１１ａにスコップなどで土を入れることにより、下部開口１１ｂから土嚢袋１の内部に土が入る。土を入れ終わったならば、ハンドル１２を上部開口１１ａの上方に起立させ、ハンドル１２を持って持ち上げることにより、土嚢袋１から容易に抜き取ることができる。抜き取った後、土嚢袋１の開口１ａを閉じる。このように、土嚢袋用の土詰め補助具１０によれば、一人であっても、土嚢袋１の内部に容易に土を入れることができる。
【００１７】
土嚢袋用の土詰め補助具１０は、筒体１１を土嚢袋１の開口１ａに挿入するだけで土詰め準備が容易である。土嚢袋用の土詰め補助具１０は、市販のバケツを利用しているため、容易かつ安価に製造することができる。土嚢袋用の土詰め補助具１０は、上部開口１１ａの方が下部開口１１ｂよりも広いホッパー状になっているため、土を入れやすい。また、上部開口１１ａの周縁が、フランジ１１ｃにより頑丈に形成されているため、壊れにくい。
【００１８】
土嚢袋用の土詰め補助具１０は、上部開口１１ａのフランジ１１ｃの外径が土嚢袋１の開口１ａの径よりもやや大きいため、セットするときも土詰め作業中も、筒体１１が土嚢袋１の内部に入り込まず、土詰め準備および作業がしやすい。また、筒体１１が動かないよう土嚢袋１にぴったりとセットすることができるため、作業性を高めることができる。
【００１９】
筒体１１の底部が土嚢袋１の底に達しない場合には、筒体１１を土嚢袋１の開口１ａに挿入し、筒体１１の下部開口１１ｂより下方の土嚢袋１の下部をたるませた状態で土を入れる。上部開口１１ａまで土を入れたならば、筒体１１と土嚢袋１の開口１ａの周縁とを同時に持って持ち上げる。これにより、土を土嚢袋１の底の方に移動させることができる。その土の上に筒体１１を置いて、再び土を入れ作業を行う。これを繰り返すことにより、土嚢袋１の開口１ａ付近まで土を入れることができる。
【符号の説明】
【００２０】
１  土嚢袋
１ａ  開口
１０  土嚢袋用の土詰め補助具
１１  筒体
１１ａ  上部開口
１１ｂ  下部開口
１１ｃ  フランジ
１１ｄ  外縁部
１２  ハンドル
【図１】
0003173010.tif 000003